(57)【要約】【課題】  工事現場等の美観を損なわず衛生面にも優れ、様々な設置場所に対応できる仮設トイレの提供。【解決手段】  本発明の仮設トイレＡは、底板１１と、底板１１の左右両辺に立設された左右の側板１３，１３と、底板１１の後辺及び左右の側板１３，１３の後辺に囲まれた面に配された後板１２から形成され、上方及び前方に開口したボックス１と、このボックス１の後方上端部まわりに回転して、ボックス１の上方開口部を開閉する天板２と、ボックス１の左右の側板１３，１３の前端部にそれぞれ設けられ、ボックス１の前方開口部を開閉する左右の前扉３，３と、ボックス内の後板１２上部に取り付けられる小便器４とを備えることを特徴とする。【選択図】      図１
2005198953.tif 000002
【特許請求の範囲】
【請求項１】
底板と、底板の左右両辺に立設された左右の側板と、底板の後辺及び左右の側板の後辺に囲まれた面に配された後板から形成され、上方及び前方に開口したボックスと、
前記ボックスの後方上端部まわりに回転して、前記ボックスの上方開口部を開閉する天板と、
前記ボックスの左右の側板の前端部にそれぞれ設けられ、前記ボックスの前方開口部を開閉する左右の前扉と、
前記ボックス内の後板上部に取り付けられる小便器と
を備えることを特徴とする仮設トイレ。
【請求項２】
前記天板は、前記ボックスの後方上端部まわりに回転して、上方略直角位置で保持可能とされたことを特徴とする請求項１に記載の仮設トイレ。
【請求項３】
前記左右の前扉は、前記ボックスの左右の側板の前端部まわりに、前方略直角位置で保持可能とされたことを特徴とする請求項１又は請求項２のいずれかに記載の仮設トイレ。
【請求項４】
前記ボックスの底板の前端中央付近に切欠きが形成されたことを特徴とする請求項１から請求項３のいずれかに記載の仮設トイレ。
【請求項５】
前記小便器は、前記ボックスの後板に対して上下に摺動可能とされ、その摺動の際の把持部が前記小便器の上端部に設けられていることを特徴とする請求項１から請求項４のいずれかに記載の仮設トイレ。
【請求項６】
前記ボックス内の前記小便器の下方空間が、前記小便器の排水ホースに接続されるタンクを収納する収納部とされたことを特徴とする請求項１から請求項５のいずれかに記載の仮設トイレ。
【発明の詳細な説明】
【技術分野】
【０００１】
本発明は、工事現場等で使用される仮設トイレに関する。
【背景技術】
【０００２】
従来から、工事現場等において、移動可能な仮設トイレが使用されている。この仮設トイレは、男女兼用のものだけでなく男子専用のものがある。しかしながら、男子専用のものは、小便器が開放されているケースが多く、小便器に雨水が流れ込む等の問題があった。そこで、小便器を覆うシャッターを備える仮設トイレが提案されている（特許文献１参照）。
【特許文献１】実公平７−４６２３７号公報
【発明の開示】
【発明が解決しようとする課題】
【０００３】
しかしながら、上記の特許文献１で開示されている仮設トイレは、シャッターを備えているが、不使用時において、小便器全体を完全に隠すことができないため、悪臭が周囲に漂よい不衛生であり、また、現場の美観を損ねるものであった。
【０００４】
また、シャッターを開いて小便器を開放する連動手段や踏み台を備えていることから、比較的広い設置スペースが必要となるが、仮設トイレの設置が義務付けられているにもかかわらず狭い工事現場、例えば、建築現場、リフォーム現場等においては、仮設トイレが設置できないという問題が生じた。さらには、ビル等の工事現場では、工事が進むにつれ、ビルの上階で作業をする人は、わざわざ地上まで下りて来なければならず、作業効率が著しく低下するという問題もあった。
【０００５】
本発明は、かかる事情に鑑みてなされたものであり、工事現場等の美観を損なわず衛生面にも優れ、様々な設置場所に対応できる仮設トイレを提供することを主たる目的とするものである。
【課題を解決するための手段】
【０００６】
上記課題を解決するため、本発明の仮設トイレは、底板と、底板の左右両辺に立設された左右の側板と、底板の後辺及び左右の側板の後辺に囲まれた面に配された後板から形成され、上方及び前方に開口したボックスと、前記ボックスの後方上端部まわりに回転して、前記ボックスの上方開口部を開閉する天板と、前記ボックスの左右の側板の前端部にそれぞれ設けられ、前記ボックスの前方開口部を開閉する左右の前扉と、前記ボックス内の後板上部に取り付けられる小便器とを備えることを特徴とする。
【０００７】
上記の仮設トイレは、天板及び左右の前扉を閉じることで小便器全体を完全に隠すことができ、周囲に悪臭が漂よったり、設置場所の美観を損ねたりするものではない。また、小便器がボックス内の後板上部に取り付けることにより、ボックスの背丈を最小限に設計することができるので様々な設置場所に対応することができる。
【０００８】
また、好ましくは上記の構成に加えて、前記天板は、前記ボックスの後方上端部まわりに回転して、上方略直角位置で保持可能とされたことを特徴とする。また、上記いずれかの構成に加えて、前記左右の前扉は、前記ボックスの左右の側板の前端部まわりに、前方略直角位置で保持可能とされたことを特徴とする。
【０００９】
上記のような構成にすることにより、仮設トイレ使用時には、天板及び／又は左右の前扉が壁としての役割も果たす。
【００１０】
或いは、上記いずれかの構成に加えて、前記ボックスの底板の前端中央付近に切欠きが形成されたことを特徴とする。
【００１１】
上記の仮設トイレは、使用時に底板の上に立たたなくても小便器に近づくことができるので、清潔に使用することができる。
【００１２】
或いは、上記いずれかの構成に加えて、前記小便器は、前記ボックスの後板に対して上下に摺動可能とされ、その摺動の際の把持部が前記小便器の上端部に設けられていることを特徴とする。
【００１３】
上記の仮設トイレは、把持部で小便器を上下に摺動することができ、例えば、小便器の下に排水ホースを介してタンクを設置した場合、排水ホースや小便器に触れずにタンクの差し替え作業を容易に行うことができるので衛生的である。
【００１４】
或いは、上記いずれかの構成に加えて、前記ボックス内の前記小便器の下方空間が、前記小便器の排水ホースに接続されるタンクを収納する収納部とされたことを特徴とする。
【００１５】
上記の仮設トイレは、仮設トイレの外部に小水を排出できない環境においても設置可能である。
【発明の効果】
【００１６】
本発明の仮設トイレは、設置される工事現場等の美観を損なわず衛生面にも優れ、コンパクトで様々な設置場所に対応できるものである。
【発明を実施するための最良の形態】
【００１７】
以下、本発明の仮設トイレについて図面を参照しながら説明するが、本発明はこれらの実施例に記載されたもののみに限定されるものではない。
【００１８】
図１は、本発明の一実施例である仮設トイレＡを示す正面図であり、図２は、本発明の仮設トイレＡを示す平面図であり、図３は、図２におけるＸ−Ｘ断面図であり、図４は、仮設トイレＡの天板２及び左右の前扉３，３を閉じた状態を示す正面図であり、図５は、仮設トイレＡの天板２及び左右の前扉３，３を閉じた状態を示す右側面図である。
【００１９】
これらの図に示すように、仮設トイレＡは、上方及び前方に開口したボックス１、天板２、左右の前扉３，３、小便器４及びタンク５を備えており、ボックス１は、底板１１と、底板１１の後辺及び左右両辺に直角に立設された後板１２、左右の側板１３，１３とから構成される。
【００２０】
後板１２及び左右の側板１３，１３は、それぞれ底板１１の後辺及び左右の辺に立設される。本実施例では、後板１２及び左右の側板１３，１３は、底板１１の後辺及び左右の辺に予め設けられた溝に嵌合し、ビスで固定されている。底板１１は、タンク５が底板１１上に設置することができれば、その大きさ、形状等は特に限定されないが、その前端中央付近に、図２に示すように、切欠きが形成されるのが好ましい。このような形状にすることで、使用時には底板１１の上に立たずにより小便器４に近づくことが可能となる。
【００２１】
図５に示すように、左右の側板１３，１３の中心付近には、手掛け部１３１，１３１が形成されており、天板２及び左右の前扉３，３を閉じた状態で仮設トイレＡを持ち運びする際に好適である。手掛け部１３１の形状は、特に限定されないが、設置面積を小さくする観点から、図５に示すように、左右の側板１３に凹部を設けることで形成されるのが好ましい。
【００２２】
また、左右の側板１３，１３には、地面に固定させる等、仮設トイレＡを安定化させるため引掛け部１３２，１３２が設けられている。引掛け部１３２としては、図５に示すように、三角カンが好ましく用いられる。三角カンを用いることで、不使用時には左右の側板１３，１３に出張りが生じず、設置面積に影響を与えることがない。
【００２３】
天板２は、ボックス１後方上端部まわりに回転して、ボックス１の上方開口部を開閉可能に取り付けられる。図６は、天板２のボックス１への取り付け構造を示す詳細断面図である。本実施例では、図６に示すように、天板２は、その後方左右両端部に形成されたブラケット２３，２３を左右の側板１３，１３の上方後端部にタッピングスクリュウ１４，１４で係合することにより、ボックス１に取り付けられている。また、図６に示すように、ブラケット２３にはカラー２３１が設けられている。このカラー２３１は、ブラケット２３をタッピングスクリュウ１４で固定する際、完全に締め上げないようにするためのストッパーとしての役割を果たすものである。従って、天板２は、左右のタッピングスクリュウ１４，１４を軸として左右の側板１３，１３に対し回転する。
【００２４】
また、天板２は、ボックス１の上方開口部に対し、上方略直角位置で保持されるのが好ましい。天板２の保持方法としては、例えば、天板２が、ボックス１の上方開口部に対して上方略直角に位置する状態において、天板２と左右の側板１３，１３の少なくとも一方とを、補助部材で連結する方法等が挙げられる。本実施例では、図１及び図３に示すように、天板２が、ボックス１の上方開口部に対して上方略直角に位置する状態において、天板２の下面後方左端部と左側板１３の内面上方後方部とがリンク機構の補助ステー２４により連結されており、天板２が保持されている。なお、天板２が閉じた状態においては、補助ステー２４は前方に折れ曲がるように構成されている。このような構成にすることで、天板２はボックス１の後方まで開くことはなく、より狭い設置場所に対応させることができる。また、使用時には後板１２と共に壁としての役割を果たして邪魔にならないため、小便器４により近づくことが可能である。
【００２５】
図１及び図４に示すように、天板２の前端部中央付近に取手２１が設けられている。天板２に取手２１を設けることで、天板２の開閉を容易に行うことができる。取手２１の形状、大きさ等は特に限定されないが、天板２の前端部の下端よりも下方に突設して設けられるのが好ましい。さらに、天板２の下面前方中央付近に凸部２２を設けることにより、左右の前扉３，３を閉じた状態において天板２を閉めると、天板２の前記凸部２２が左右の前扉３，３の開放を規制することが可能となる。従って、仮設トイレＡを持ち運びする際には、左右の前扉３，３が開閉せず好適である。
【００２６】
ところで、左右の前扉３，３は、左右の側板１３，１３の前端部にそれぞれ取り付けられ、ボックス１の前方開口部を開閉する。図７は、左右の前扉３，３のボックス１への取り付け構造を示す斜視図である。本実施例では、図７に示すように、開いた状態における前扉３の後端部には回転軸３１が設けられており、その回転軸３１の上端及び下端にはそれぞれボス３１１及び３１２が形成されている。ボス３１１は、側板１３に設けられた軸受け１５に嵌合して側板１３に固定される。この軸受け１５は、Ｌ字形状材の一片が側板１３に重ね合わされて固定され、他片に丸穴が形成されこの丸穴が軸受け部とされている。一方、ボス３１２は、底板１１の上面左前端部に形成された軸穴１１１に嵌合される。
【００２７】
また、左右の前扉３，３は、ボックス１の前方開口部に対して前方略直角に保持されるのが好ましい。左右の前扉３，３の保持方法としては、例えば、左右の前扉３，３が、ボックス１の前方開口部に対して前方略直角に位置する状態において、左右の前扉３，３と左右の側板１３，１３それぞれに、互いに係合可能な保持部材を設ける方法等が挙げられる。本実施例では、図３に示すように、前扉３の後方上端（開いた状態における）に第一ロックバー１６が、側板１３の前方上端に第二ロックバー１７が取り付けられており、図８(ａ)(ｂ)は、その取り付け構造を示す斜視図及び平面図である。図８(ａ)(ｂ)に示すように、第一ロックバー１６が略Ｌ字形状材の短片が扉内面に対し垂直に延出するように取り付けられ、互いに係合可能とされている。一方、第二ロックバー１７は、その後端部まわりに回転可能とされ、第一ロックバー１６の短片に設けられた溝１６１に係合されることで、前扉３が、ボックス１の前方開口部に対して前方略直角に保持される。このような構成にすることにより、使用時において左右の前扉３，３はボックス１の前方開口部に対して前方略直角以上には回転しないので、左右の側板１３，１３と共に壁としての役割も果たす。
【００２８】
図７に示すように、底板１１の上面左前端部に、ストッパボス１１２が突設されているが、前扉３がボックス１内部にまで回転するのを防ぐためのものである。
【００２９】
前扉３の内面には、前扉３を閉めた状態で小便器４及びタンク５と当たらない位置に、上方に開口した収納ケースを設けてもよい。このような収納ケースを設けることで、タンク５の取替え時にタンク５の蓋等を入れることができるので、紛失防止上好適である。
【００３０】
また、前扉３の下部には、前扉３を閉めた状態で、仮設トイレＡ内部を見ることができる穴３２を形成されており、この穴３２を前扉３の内面からアクリル板等の透明な板で塞いでいる。この穴３２から仮設トイレＡの内部が見える位置に消火器を配置しておくと、工事現場における消火器設置場所の確認ができ、火災事故が起こったときなどにすぐに消火器が発見できると共に、盗難防止にも効果的である。
【００３１】
小便器４は、図１に示すように、小便器４に上方両端部に形成されたツバ４３，４３をネジによりボックス１内の後板１２上部に取り付けられている。このような構造にすることで、仮設トイレＡをコンパクトなサイズに設計することができ、様々な設置場所に対応することができる。また、ボックス１内の小便器４の下方空間は、小便器４の下端部に形成された排水ホース４２に接続されるタンク５を収納する。このような構成にすることにより、設置条件等により小水を仮設トイレＡ外部に溜められない場合においても対応することができる。
【００３２】
小便器４の後板１２への取り付け部１２１，１２１は、小便器４を上下に摺動可能とするスライド構造を有し、小便器４の上端部に把持部４１が設けられるのが好ましい。このような構成にすることで、把持部４１で小便器４を持ち上げることができ、タンク５が小水で満杯になった際、排水ホース４２を把持することなく排水ホース４２をタンク５の注水口５１から抜き出し別のタンク５へ差し替えることができる。また、タンク５の差し替えの際には、小便器４に触れずに作業することができる。なお、小便器４の上端部に設けられる把持部４１は、ビス等で小便器４の上端部に取り付けてもよく、小便器４と一体で成形してもよい。
【００３３】
小便器４の後板１２への取り付け部１２１，１２１のスライド構造は、例えば、後板１２に別途スライド金具等を取り付けることにより形成することもできるが、後板１２にスライド溝を一体成形することにより形成することもできる。図９(ａ)(ｂ)は、本実施例における、小便器４の後板１２への取り付け構造を示す斜視図及び断面図である。図９(ａ)に示すように、後板１２の取り付け部１２１は、前方に開口した溝を一体成形することにより形成される。この溝は、図９(ｂ)に示すように、後板１２に打ち抜かずに形成されるのが好ましい。このような構成にすることで、仮設トイレＡ後方から仮設トイレＡ内部が見えることはない。
【００３４】
本実施例では小便器４の排水ホース４２は、タンク５につながれているが、設置条件等に応じて、排水パイプ等につないで使用してもよい。図１０は、仮設トイレＡの別の使用態様を示す図であるが、この図に示すように、小便器４の排水ホース４２を排水パイプにつないで、小水を仮設トイレＡの外部に溜めるようにしている。
【図面の簡単な説明】
【００３５】
【図１】本発明の仮設トイレを示す正面図である。
【図２】本発明の仮設トイレを示す平面図である。
【図３】本発明の仮設トイレを示す図２におけるＸ−Ｘ断面図である。
【図４】本発明の仮設トイレの天板及び左右の前扉を閉じた状態を示す正面図である。
【図５】本発明の仮設トイレの天板及び左右の前扉を閉じた状態を示す右側面図である。
【図６】天板２のボックス１への取り付け構造を示す詳細断面図である。
【図７】前扉３のボックス１への取り付け構造を示す斜視図である。
【図８】前扉３が、ボックス１の前方開口部に対して前方略直角に保持される様子を示す斜視図及び平面図である。
【図９】小便器４の後板１２への取り付け構造を示す斜視図及び断面図である。
【図１０】仮設トイレＡの別の使用態様を示す図である。
【符号の説明】
【００３６】
１  ボックス
２  天板
３  前扉
４  小便器
５  タンク
１１  底板
１２  後板
１３  側板
２１  取手
２２  凸部
２３  ブラケット
２４  補助ステー
３１  回転軸
３２  穴
４１  把持部
４２  排水ホース
４３  ツバ
５１  注水口
Ａ  仮設トイレ
【図１】
2005198953.tif 000003
【図２】
2005198953.tif 000004
【図３】
2005198953.tif 000005
【図４】
2005198953.tif 000006
【図５】
2005198953.tif 000007
【図６】
2005198953.tif 000008
【図７】
2005198953.tif 000009
【図８】
2005198953.tif 000010
【図９】
2005198953.tif 000011
【図１０】
2005198953.tif 000012